(57)【要約】      （修正有）【課題】フレーム内部に光源を有し、理想的な均一照射を可能とする光源を組み込んだ美術品展示用フレームを提供する。【解決手段】矩形の外枠１と、外枠１の内側面上に配置された光源パネル２と、美術品６を前面から保護するための透明板３と、美術品６を背面から支持するためのマット５及び裏板４を具備する。前記光源パネル２の照明によって美術品６をより美しく見せる。外枠１の内側面上に配置された光源パネル２は、外枠１の１面上あるいは２面上に設置して、外枠１の対面に向けて照射するようにしてもよいし、４面上すべてに設置して、フレームの中心に向けて照射するようにしてもよい。光源パネル２の照明には、ＬＥＤ照明を使用することが望ましい。【選択図】図１
0003185429.tif 000002
【実用新案登録請求の範囲】
【請求項１】
平面の美術品を展示するためのフレームであって、
矩形の外枠と、
前記矩形の外枠の内側面上に配置された光源パネルと、
前記平面の美術品を前面から保護するための透明板と、
前記平面の美術品を背面から支持するためのマット及び裏板と、
を具備し、前記光源パネルの照明によって前記平面の美術品をより美しく見せることを特徴とする美術品展示用フレーム。
【請求項２】
前記光源パネルが、前記外枠の内側４面のうち、１以上の面に設置されていることを特徴とする請求項１記載の美術品展示用フレーム。
【請求項３】
前記光源パネルは、１以上のＬＥＤ照明の集合体であることを特徴とする請求項１又は請求項２記載の美術品展示用フレーム。
【請求項４】
前記平面の美術品を前面から保護するための透明板は、透明ガラスまたはアクリル板であることを特徴とする請求項１乃至３のいずれかに記載の美術品展示用フレーム。
【考案の詳細な説明】
【技術分野】
【０００１】
本考案は、光源を組み込んだ美術品展示用フレームに関する。
【背景技術】
【０００２】
従来美術館等では、美術品をより美しく鑑賞できるようにするため、通常は白熱電球等によるスポットライトを当てることが行われている。
【考案の概要】
【考案が解決しようとする課題】
【０００３】
美術品の展示に際して、その美術品に最適な照明を施すことができれば、美術品の美しさを引き出し、より効果的に見せることができる。まず一方では対象作品の陰影部分を照らし出すことで、より深い奥行感を際立たせ、幻想的な効果が生まれる。そして一方では対象作品の鮮明な部分を照らし出すことで、より繊細な光彩を際立たせ、印象的な効果が生まれる。すなわち、照明によって美術品が本来持つ「明暗のコントラスト」を、より大胆に、よりダイナミックに、見せることが望まれるのである。ベラケレスやフェルメール等、歴史に名だたる数々の名画の目的は、この「明暗のコントラスト」の限りない探求であった。それ故、これら名画の展示に当たっては、常時この明暗の美を最大限に発揮させることが可能な照明装置が重要となる。
【０００４】
しかし、白熱電球等によるスポットライトでは、光の斑やライトの跡が美術品表面の一部分に強く出てしまい、全体に光が行渡り均一に照らし出される効果が望めなかった。更に、展示物を変える場合、その都度美術品に最適な、照明の位置や、光の強弱、色調を変更する必要があり、繁雑であった。
【０００５】
本考案は上記問題点に鑑み、スポットライト等を使用する結果生じる照射ムラを解消し、理想的な均一照射を可能とする美術品展示用フレームを提供することを課題とする。
【課題を解決するための手段】
【０００６】
上記課題を解決するために本考案に係る美術品展示用フレームは、矩形の外枠と、外枠の内側面上に配置された光源パネルと、美術品を前面から保護するための透明板と、美術品を背面から支持するための裏板及びマットを具備し、前記光源パネルの照明によって美術品をより美しく見せることを特徴とする
【０００７】
外枠の内側面上に配置された光源パネルは、外枠の１面上あるいは２面上に設置して、対面に向けて照射するようにしてもよいし、４面上すべてに設置して、フレームの中心に向けて照射するようにしてもよい。
【０００８】
前記光源パネルの照明には、以下の理由でＬＥＤ照明を使用することが望ましい。すなわち（１）ＬＥＤ照明は、熱の発生をともなわずに、また、赤外線をともなわずに発光するため、美術品の近傍に設置して長時間使用しても、対象物を熱によって傷めることがない。（２）白熱電球や蛍光灯は発熱や破壊の心配があるため小型化に限界があったが、ＬＥＤはそれらの心配が少なく小型化が可能であるため、フレーム内に容易に組み込むことができる。（３）ＬＥＤ素子とレンズの形状により指向性を変えることができるため、外枠内側の１面または２面に設置して一方向に多くの光を出すようにすることもできるし、４面すべてに設置して全方位にまんべんなく光を出すように設置することもできる。（４）数万時間の継続点灯が可能であるため、フレーム内に数百個の照明を組み込んだ場合であっても、寿命による交換頻度が著しく減少する。
【考案の効果】
【０００９】
スポットライト等を使用する結果生じる照射ムラを解消し、理想的な均一照射を可能にする。その結果、美術品が本来持つ「明暗のコントラスト」を、より大胆に、よりダイナミックに見せることができる。
【００１０】
展示替えの際に、外部照明の再調整を行う必要がなく、しかも、常にその美術品に最適な照明を施すことが可能となるため、どの美術品についても、その美しさを引き出し、より効果的に見せる事ができる。
【図面の簡単な説明】
【００１１】
【図１】（Ａ）本美術品展示用フレームの平面図である。（Ｂ）本美術品展示用フレームの a−a’ 断面図である。
【図２】光源パネル近傍の拡大断面図である
【図３】光源パネルの斜視図である。
【考案を実施するための形態】
【００１２】
以下、本考案の実施形態の１例を図面を参照して説明する。
【００１３】
図１に示すように、本考案に係る美術品展示用フレームは、矩形の外枠１と、外枠１の内側面上に配置された光源パネル２と、美術品６を前面から保護するための透明板３と、美術品６を背面から支持するためのマット５及び裏板４と、を具備する。
【００１４】
本フレームの最大の特徴は、光源パネル２が外枠１の内側４面のうち、１以上の面上に設置されていることにあるが、本実施形態においては、図１及び図２に示すように、下部１面上のみに光源パネル２を設置する。光源パネル２は外枠１の下部１面上の透明板３とマット５との間に設置され、光源パネル２の長手方向の両端は裏板４に螺子止めされている。
【００１５】
光源パネル２には、少なくとも１０以上の、パネルのサイズに比例した数のＬＥＤ照明２１が、一定の間隔をもって配置されている（図３）。本実施形態においては、光源パネル２は外枠１の１面上のみに設置し対面に向けて光を照射するため、使用されるＬＥＤ照明２１は、一方向に多くの光を出すように設計・製造された１方向照射型のＬＥＤ照明とする。これらのＬＥＤ照明の集合体による光は、美術品６と透明板３の間に形成される空間内に均一に照射され、美術品６をムラなく照らし出す。 
【００１６】
本考案に係る美術品展示用フレームの他の実施形態としては、（１）外枠の内側４面のうち、２面上に光源パネルを設置し、パネルが設置された面に対角する面に向けてＬＥＤ照明の光を照射する、（２）前記４面すべてに光源パネルを設置し、美術品と透明板の間の空間内に遍く光を照射する、といった形態がある。前記（２）で使用されるＬＥＤ照明は、展示する美術品の特徴を考慮し、１方向照射型に代わり全方位型のものを選択することもできる。本考案に係る美術品展示用フレームの優れた点は、このように展示する美術品によって、最も効果的な照射方法を選択できることにある。
【００１７】
さらに、光源パネルに使用する照明についても、電球型ＬＥＤだけでなく、直管型ＬＥＤを使用することも可能であり、また、現在は開発途上である、ＬＥＤよりも性能が優れた次世代レーザー光源等を将来使用することも考えられる。
【符号の説明】
【００１８】
１    外枠
２    光源パネル
２１  ＬＥＤ照明
２２  電源ケーブル
２３  コンセント
３    透明板
４    裏板
５    マット
６    美術品
【図１】
0003185429.tif 000003
【図２】
0003185429.tif 000004
【図３】
0003185429.tif 000005